(57)【要約】      （修正有）【課題】輸送および倉庫管理の現場で利用する電磁結合方式を利用してアンテナ間でデータ交信を行なうＲＦＩＤシステムを活用するために使用するＲＦＩＤタグを読み取る方式は、その殆どのものが、非接触と謳いながらも、ＲＦＩＤタグの真上またはその近傍でしか読み書きすることができず、そのため作業者は、該ＲＦＩＤタグをつけてある場所へ移動するか、対象物を動かし該ＲＦＩＤタグを確認できるようにする。【解決手段】ループアンテナと交信可能な位置にＲＦＩＤタグを設置することで、該ループアンテナ全域において該ＲＦＩＤタグ情報の読み書きが可能であるという原理を活かし、輸送用容器にあらかじめループアンテナを埋め込むか取り付けることで、該ＲＦＩＤタグの近傍だけではなく、埋め込まれたループアンテナ全域において、該ＲＦＩＤタグを読み書きすることが可能となる輸送用容器を用いたＲＦＩＤシステム。【選択図】図１
2005348030.tif 000002
【特許請求の範囲】
【請求項１】
輸送および倉庫管理などに使用される輸送用容器を管理するにあたって、電磁結合または電磁誘導（以下電磁結合方式という）を利用してアンテナ間でデータ交信を行なうＲＦＩＤ（Ｒａｄｉｏ  Ｆｒｅｑｕｅｎｃｙ−Ｉｄｅｎｔｉｆｉｃａｔｉｏｎ）システムを活用するため、あらかじめ輸送用容器の表面または内部に、ループアンテナまたは一部コイル状にしたループアンテナ(以下ループアンテナという)と該ループアンテナと交信可能な位置にＲＦＩＤタグを設置した状態で、成型または取り付けを行なうことにより、該ループアンテナ全域において、該ＲＦＩＤタグを読み書きがすることができることを特徴とする輸送用容器。
【請求項２】
輸送および倉庫管理などに使用される輸送用容器を管理するにあたって、電磁結合方式を利用してアンテナ間でデータ交信を行なうＲＦＩＤシステムを活用するため、あらかじめ輸送用容器の表面または内部に、ループアンテナと該ループアンテナと交信可能な位置にＲＦＩＤタグを設置した状態で、成型または取り付けを行なうことにより、該ループアンテナの全域において、該ＲＦＩＤタグを読み書きすることができるという輸送用容器であって、該ＲＦＩＤタグを該輸送用容器に設置するポケットまたは該ＲＦＩＤタグの固定を可能にする取り付け治具を有することを特徴とする輸送用容器。
【請求項３】
輸送および倉庫管理などに使用される輸送用容器を管理するにあたって、電磁結合方式を利用してアンテナ間でデータ交信を行なうＲＦＩＤシステムを活用するため、あらかじめ輸送用容器の表面または内部に、ループアンテナと該ループアンテナと交信可能な位置にＲＦＩＤタグを設置した状態で、成型または取り付けを行なうことにより、該ループアンテナの全域において、該ＲＦＩＤタグを読み書きすることができるという輸送用容器であって、該ＲＦＩＤタグの位置が制約されることなくリーダライタでＲＦＩＤタグ情報を読み書きすることができることを特徴とするＲＦＩＤシステム。
【請求項４】
輸送および倉庫管理などに使用される輸送用容器を管理するにあたって、電磁結合方式を利用してアンテナ間でデータ交信を行なうＲＦＩＤシステムを活用するため、あらかじめ輸送用容器の表面または内部に、ループアンテナと該ループアンテナと交信可能な位置にＲＦＩＤタグを設置した状態で、成型または取り付けを行なうことで、該ループアンテナの全域において、該ＲＦＩＤタグを読み書きすることができるという輸送用容器に埋め込まれたループアンテナ上にＲＦＩＤタグを設置するポケットまたは該ＲＦＩＤタグの固定を可能することのできる取り付け治具を有することにより、輸送対象物に付随するＲＦＩＤタグなどを該ポケットまたは取り付け治具にセットすることで、該輸送対象物のトレーサビリティの管理が容易に実現できる事を特徴とするＲＦＩＤシステム。
【発明の詳細な説明】
【技術分野】
【０００１】
本発明は、ＲＦＩＤタグの読み書きできる条件を向上させ輸送及び保管や倉庫産業全般において作業者の作業性の向上を目的とした輸送用容器に取り付けられたＲＦＩＤタグを読み書きする技術を提供するものである。
【背景技術】
【０００２】
ＲＦＩＤタグは、現在多くの輸送、保管及び倉庫管理システム等において導入されており、輸送貨物及び輸送用容器などにＲＦＩＤタグを貼り付けることにより簡単かつ正確に管理できることを特徴としている。
【０００３】
しかしながら、現在電磁結合方式を利用してアンテナ間でデータ交信を行なうＲＦＩＤシステムを活用するために使用するＲＦＩＤタグを読み書きする方法としては、その殆どのものが、非接触と謳いながらも、ＲＦＩＤタグの真上または、その近傍でしか読み書きすることができず、そのため作業者は、該ＲＦＩＤタグをつけてある場所へ移動するか、対象物を動かし該ＲＦＩＤタグを確認できるようにする必要がある。
【０００４】
また従来の製品においても、ＲＦＩＤタグの読み書きする距離を伸ばすことは可能となってはいるが、死角にあっても読み書きできるという効果に対して、必ずしもその有用性を活かしきれているとはいえない。
【特許文献１】特開2002-319009号公報
【発明の開示】
【発明が解決しようとする課題】
【０００５】
本発明は、上述のごとき実情に鑑みてなされたものであり、輸送用容器に取り付けられたＲＦＩＤタグの真上または、その近傍でしか読み書きすることができなかった該ＲＦＩＤの情報を輸送用容器の広範囲の箇所において、読み書きすることを可能にすることで、輸送及び保管や倉庫産業全般において作業者のＲＦＩＤタグの読み取り作業を簡単かつ確実に実現することを特徴とするＲＦＩＤシステムを提供することを目的とする。
【課題を解決するための手段】
【０００６】
本発明は、電磁結合方式を利用してアンテナ間でデータ交信を行なうＲＦＩＤシステムを活用するために使用するＲＦＩＤタグの通信を該ＲＦＩＤタグ周辺だけではなく、ループアンテナを設置した全域、すなわち輸送用容器の広範囲の箇所おいて該ＲＦＩＤタグ情報の読み書きすることを可能にすることを最も主要な特徴とする。
【発明の効果】
【０００７】
第1発明によれば、ループアンテナおよび電磁結合方式を利用してアンテナ間でデータ交信を行なうＲＦＩＤシステムを活用するために使用するＲＦＩＤタグを、輸送用容器の表面または、内部に設置することで、該ループアンテナ全周において、該ＲＦＩＤタグの読み書きすることが可能となり、該ループアンテナを、輸送用容器にあらかじめ埋め込むまたは、取り付けることで、該ＲＦＩＤタグの近傍だけではなく、ループアンテナを設置した全域、すなわち輸送用容器の広範囲の箇所おいて、該ＲＦＩＤタグの読み書きすることが可能となる。
【０００８】
第2発明は、第１発明の発展型であり、埋め込まれたループアンテナと通信可能な位置に、ＲＦＩＤタグを設置できるように、ポケットまたは、取り付け治具をつけておくことにより、該ＲＦＩＤタグを入れ替えることで、輸送用容器の再利用、または、輸送対象物を基準としたトレーサビリティが可能となる。
【発明を実施するための最良の形態】
【０００９】
ループアンテナを埋め込んだ輸送用容器にＲＦＩＤタグを取り付けることにより、他の機能を損なうことなく、輸送および部品などの管理システムに置ける作業者への負担を減らすことができる。
【００１０】
以下、本発明の実施形態について、図面を用いて説明する。
【実施例１】
【００１１】
本発明の一実施例について、図１乃至図２を参照して説明する。図１は、本発明を利用したＲＦＩＤシステム概要図であり、１はＲＦＩＤタグであり、２はＲＦＩＤリーダ／ライタであり、３は、ループアンテナを埋め込まれた輸送用容器であり、４は、埋められたループアンテナである。また５は、情報を管理する上位コンピューターである。図２は、第２発明を利用したＲＦＩＤシステム概要図であり、６は、ＲＦＩＤタグ交換用のポケットまたは、取り付け治具である。
【００１２】
図１に示すように、ＲＦＩＤタグと該タグに設置させる形で配置したループアンテナをあらかじめダンボールに埋め込むことにより、該ダンボールにおいてタグの位置が、作業者から離れたところにあっても、ループアンテナを設置した全域で読み書きすることが可能となり、作業効率の向上が可能である。
【００１３】
図２に示すように、ループアンテナの直上に該ＲＦＩＤタグの交換用ユニットまたはポケットを付けることにより、ダンボールで輸送する商品と対になるＲＦＩＤタグを入れ替えることで該ダンボールに依存することなく、商品と対になるＲＦＩＤタグのトレーサビリティの管理が可能になる。
【００１４】
以上のように、電磁結合方式を利用してアンテナ間でデータ交信を行なうＲＦＩＤシステムを活用するために使用するＲＦＩＤタグを、ループアンテナと交信可能な位置に設置することで、ＲＦＩＤタグの位置に依存することなく、簡単にかつ確実に該ＲＦＩＤタグの読み書きすることを実現するという課題を解決することができる。
【産業上の利用可能性】
【００１５】
本発明の活用例としては、輸送および保管や倉庫産業などの物品管理システムに使用する輸送用容器に付けることにより、輸送および部品や製品などの管理作業において、ＲＦＩＤタグを簡単にかつ確実に読み書きする手段として活用できる。
【図面の簡単な説明】
【００１６】
【図１】第１発明のＲＦＩＤシステムのシステム機器構成概要図である
【図２】第２発明を利用したＲＦＩＤシステム概要図である
【符号の説明】
【００１７】
１：ＲＦＩＤタグ
２：リーダ／ライタ
３：ループアンテナを埋め込まれた輸送用容器
４：ループアンテナ
５：上位コンピューター
６：ＲＦＩＤタグ交換用のポケットまたは、取り付け治具
【図１】
2005348030.tif 000003
【図２】
2005348030.tif 000004